(57)【要約】【課題】記録再生装置が具備する記録手段１に記録されている曲データが、記録手段２や他の記録メディアなどにバックアップされた後に削除された場合、その曲データの再取得を防止する。【解決手段】曲識別手段１０４は、曲情報一覧取得手段１０３から取得した曲情報一覧Ｃの各曲の曲情報を基にして曲毎に曲情報管理データ制御手段１０８から得た曲情報管理データ一覧Ｄを検索し、その検索結果を基に識別済み曲情報一覧Ｇを作成することにより、曲情報一覧Ｃに含まれる各曲の曲データがバックアップされているか否かを識別してユーザに知らしめることができるので、曲データＩの再取得を防止することができる。【選択図】図１
2007157229.tif 000002
【特許請求の範囲】
【請求項１】
曲データや曲情報管理データなどを記録する記録手段１と、
前記記録手段１に記録されている前記曲データを管理する前記曲情報管理データが保存されているデータ管理ファイルから前記曲情報管理データを読み出す一方で、前記データ管理ファイルに前記曲情報管理データを追加または更新する曲情報管理データ制御手段と、
インターネットを通して楽曲情報データベースから曲情報一覧を取得する曲情報一覧取得手段と、
前記曲情報一覧取得手段で取得した前記曲情報一覧の各曲について、前記曲情報管理データを一覧にした曲情報管理データ一覧から検索し、曲毎に曲データのバックアップの有無を識別した識別済み曲情報一覧を作成する曲識別手段と、
前記識別済み曲情報一覧を表示する表示手段と、
前記曲識別手段において作成された前記識別済み曲情報一覧の中からユーザが所望する曲を選択し、前記選択したユーザが所望する曲の曲データを、インターネットを通じて取得して前記記録手段１に記録するとともに、前記記録手段１に記録した曲データのアドレスと前記記録した曲データに関する識別済み曲情報を前記曲情報管理データ制御手段に送る曲データ取得手段と、
前記ユーザが前記識別済み曲情報一覧の中から選択した曲の曲データを前記記録手段１から削除する、あるいは前記記録手段１以外の記録手段である記録手段２にバックアップする曲データ削除・バックアップ手段と、を備えた記録再生装置。
【請求項２】
楽曲が記録されている音楽メディアから曲データと曲を特定する曲特定情報を読み出し、読み出した前記曲データを前記曲データ取得手段に、前記曲特定情報を前記曲情報一覧取得手段にそれぞれ送る音楽メディア読出手段をさらに具備することを特徴とする請求項１記載の記録再生装置。
【請求項３】
前記データ管理ファイルは、前記記録手段１に記録されている全ての曲データに関する前記曲情報管理データを保存していることを特徴とする請求項１または２記載の記録再生装置。
【請求項４】
前記曲情報管理データは、少なくとも、曲名、アーティスト名、アルバム名、曲データのアドレス、およびバックアップの有無を表す情報で構成されることを特徴とする請求項１または２記載の記録再生装置。
【請求項５】
前記曲情報管理データは、バックアップ先を特定する情報および／またはバックアップ先の曲データの記録位置を示すアドレスを表す情報をさらに有するように構成されることを特徴とする請求項４記載の記録再生装置。
【請求項６】
前記曲情報一覧は、少なくとも、曲名、アーティスト名、およびアルバム名から成る１曲以上の曲情報で構成されることを特徴とする請求項１または２記載の記録再生装置。
【請求項７】
前記識別済み曲情報一覧は、少なくとも、曲名、アーティスト名、およびアルバム名で構成される曲情報と、前記曲識別手段において識別された識別結果の情報から成る１曲以上の識別済み曲情報で構成されることを特徴とする請求項１または２記載の記録再生装置。
【発明の詳細な説明】
【技術分野】
【０００１】
本発明は、ユーザが所望する音楽データが、内蔵するハードディスクドライブ装置（以下、ＨＤＤと記す）やフラッシュメモリなどの記録手段に保存されているか、他の記録手段にバックアップされているか否か等の識別を行う記録再生装置に関するものである。
【背景技術】
【０００２】
近年、ミニコンポ等のＡＶ機器などにおいては、内蔵するＨＤＤに曲データを記録して再生する記録再生装置が普及している。このような記録再生装置においては、例えば音楽ＣＤから音楽を直接再生する場合と比較すると、大量の曲データをＨＤＤに記録することができるので、いったん音楽ＣＤなどからＨＤＤにリッピングを行うと記録再生装置に音楽ＣＤなどを再セットすることが不要となる。
【０００３】
従来、上記の記録再生装置においては、１曲ごとにその曲に関係するデータを管理するために曲情報管理データが使用され、その曲情報管理データには、曲名とアーティスト名とアルバム名と曲データのアドレスを特定できる情報が含まれている。曲名とアーティスト名とアルバム名などからなる曲情報は、例えば、音楽ＣＤから曲データをリッピングする際に取得できる音楽ＣＤのＴＯＣ情報を基に、ネットワークを通じて楽曲情報データベースにアクセスすることで取得することができる。また、ＨＤＤ内の全ての曲情報管理データはＨＤＤデータ管理ファイルに保持され、この曲情報管理データを基に曲管理が行われている。
【０００４】
曲データがＨＤＤに取り込まれた時点でその曲データに関連する曲情報管理データがＨＤＤデータ管理ファイル内に新たな曲情報管理データとして保持され、ＨＤＤから曲データの削除を行うタイミングでその曲データと関連付けて保持されていた曲情報管理データが削除される。
【０００５】
なお、特許文献１において、ＨＤＤにリッピングした曲データを不用意に削除することを防止するとともに、ＨＤＤ内から曲データを削除した後に、削除する前の状態に復旧する作業を容易にする技術が開示されている。
【特許文献１】特開２００４−１４５７０１号公報
【発明の開示】
【発明が解決しようとする課題】
【０００６】
しかしながら、従来の記録再生装置においては、ＨＤＤに記録している曲データを外部記録装置または他の記録メディアに記録（以下、バックアップと記す）している場合であっても、ＨＤＤ内の曲データを削除した場合は、その曲データに関連する曲情報管理データも削除されてしまうので、曲データを削除した後にはバックアップされた曲データの曲情報管理データを使用することができないという課題があった。例えば、記録再生装置のユーザが、ＨＤＤの容量が残り少ない時や記録されている曲に飽きた時などにバックアップを行い、そのバックアップを行った曲データをＨＤＤから削除した後に、再度その曲が聴きたくなった場合、バックアップを行っていたことを失念して同じ曲データを音楽配信で取得する為に不要な金銭を出費し、ダウンロードに時間を掛けなければならないという課題があった。また、再度音楽データを取得するために、例えば音楽ＣＤから曲データをエンコーディングする場合には、曲データのリッピングとそのエンコーディングをするために時間を掛けなければならないという課題があった。
【０００７】
本発明の記録再生装置は、以上のような課題を解決するものであって、曲データがバックアップされた後にＨＤＤから削除されたものであるか否かを識別できる情報を、曲情報管理データの一つの管理情報として記録し、バックアップがなされていると識別された曲データについては、ＨＤＤからその曲データを削除した場合でもその曲データに関連する曲情報管理データは削除せず、ユーザがＨＤＤから削除した曲データを再度聴きたくなった場合、曲情報から曲情報管理データを検索してバックアップ先から所望の曲データを取得することが可能であることをユーザに知らしめることができるものであり、ユーザがバックアップされている曲データを再度ダウンロードやエンコーディングを行って取得することがないようにすることを目的とする。
【課題を解決するための手段】
【０００８】
上記目的を達成するために、本発明の記録再生装置は、曲データや曲情報管理データなどを記録する記録手段１と、前記記録手段１に記録されている前記曲データを管理する前記曲情報管理データが保存されているデータ管理ファイルから前記曲情報管理データを読み出す一方で、前記データ管理ファイルに前記曲情報管理データを追加または更新する曲情報管理データ制御手段と、インターネットを通して楽曲情報データベースから曲情報一覧を取得する曲情報一覧取得手段と、前記曲情報一覧取得手段で取得した前記曲情報一覧の各曲について、前記曲情報管理データを一覧にした曲情報管理データ一覧から検索し、曲毎に曲データのバックアップの有無を識別した識別済み曲情報一覧を作成する曲識別手段と、前記識別済み曲情報一覧を表示する表示手段と、前記曲識別手段において作成された前記識別済み曲情報一覧の中からユーザが所望する曲を選択し、前記選択したユーザが所望する曲の曲データを、インターネットを通じて取得して前記記録手段１に記録するとともに、前記記録手段１に記録した曲データのアドレスと前記記録した曲データに関する識別済み曲情報を前記曲情報管理データ制御手段に送る曲データ取得手段と、前記ユーザが前記識別済み曲情報一覧の中から選択した曲の曲データを前記記録手段１から削除する、あるいは前記記録手段１以外の記録手段である記録手段２にバックアップする曲データ削除・バックアップ手段と、を備えている。
【０００９】
このような構成により、バックアップ後に削除をした曲データの曲情報管理データはデータ管理ファイルに保持されるので、再度同じ曲データを取得する前に曲情報を基にしてデータ管理ファイルを検索することで、その曲がバックアップされているか否かを識別することができる。
【発明の効果】
【００１０】
以上のように本発明の記録再生装置によれば、再び曲データを取得する前に、その曲データがバックアップされた後に記録手段１から削除された曲データであるか否かを識別することができ、ユーザは識別結果を確認することで不必要な曲の購入やダウンロード、あるいは音楽ＣＤ等からの不必要な曲データのリッピングと曲データのエンコーディングをせずに済ますことができ、バックアップしている曲データを活用することができる。
【発明を実施するための最良の形態】
【００１１】
以下本発明の実施の形態について図面を用いて説明する。
【００１２】
（実施の形態１）
本発明の実施の形態１に係る記録再生装置においては、該当する曲データがバックアップされた後にＨＤＤから削除されたものであるか否かを、該当する曲データの曲情報を基にして識別する。なお、図１は、本発明の実施の形態１における記録再生装置の構成を示すブロック図である。
【００１３】
図１において、楽曲情報データベース１０、ＣＤ、ＣＤ−Ｒ、ＤＶＤ等のように音楽データが格納可能な音楽データ記録再生媒体（以下、音楽メディアと記す）１１、および音楽配信サーバ１２は、記録再生装置１００に対してそれぞれ１曲以上の曲情報（以下、「曲情報一覧Ｃ」と記し、図２に曲情報一覧の一例を示す）、音楽データＡ、および曲データＩを供給する曲データあるいは曲情報などの供給源である。一方、記録再生装置１００は、曲データや曲情報管理データなどを記録するＨＤＤあるいはフラッシュメモリなどの記録手段１（図示せず）と、記録手段１に保持され全ての曲情報管理データを記録しているデータ管理ファイル１０１（図３にデータ管理ファイルの一例を示す）と、音楽メディア１１から音楽データＡを読み出す音楽メディア読出手段１０２と、音楽メディア読出手段１０２から音楽ＣＤにおけるＴＯＣ情報のように音楽（曲）を特定する情報（以下、曲特定情報Ｂと記す）を取得し、その曲特定情報Ｂを基にして楽曲情報データベース１０から曲情報一覧Ｃを取得、または曲特定情報Ｂを基にせずに楽曲情報データベース１０から直接曲情報一覧Ｃを取得する曲情報一覧取得手段１０３と、曲情報一覧Ｃから曲情報管理データ一覧Ｄを検索し曲を識別する曲識別手段１０４と、曲識別手段１０４からの識別済み曲情報一覧Ｇ（図４に識別済み曲情報一覧の一例を示す）に応じて曲情報一覧等の表示を行う表示手段１０５と、曲識別手段１０４からの識別済み曲情報一覧Ｇを用いて音楽配信サーバ１２、または音楽メディア読出手段１０２からそれぞれ曲データＩを取得し、記録手段１に記録するとともに、記録した曲データＩのアドレス（曲データアドレスＫ）と記録した曲データＩの識別済み曲情報Ｊを曲情報管理データ制御手段１０８に送る曲データ取得手段１０６と、記録手段１から曲データＩの削除を行う、または記録手段１以外の記録手段である記録手段２（図示せず）に曲データＩのバックアップを行う曲データ削除・バックアップ手段１０７と、データ管理ファイル１０１に対し曲情報管理データの追加または更新（書込データＥ）、あるいは読み出し（読出データＦ）を行う曲情報管理データ制御手段１０８と、で構成されている。
【００１４】
次に、上記のように構成された本発明の記録再生装置１００の動作について説明する。まず、図６を用いて、記録再生装置１００が音楽メディア１１から曲データＩを記録手段１に取得し、データ管理ファイル内に曲情報管理データが追加または更新される場合の動作について説明する。なお、図６は本発明の記録再生装置が音楽メディア１１から曲データを取得する時の動作を示すフローチャートである。
【００１５】
ユーザが記録再生装置１００において音楽メディア１１から曲データＩを記録手段１に取得することを所定の手段で選択すると、曲情報一覧取得手段１０３は音楽メディア１１から音楽メディア読出手段１０２を介して音楽メディア１１の曲特定情報Ｂを取得する。その後、曲情報一覧取得手段１０３は曲特定情報Ｂを基にネットワークを通じて楽曲情報データベース１０から該当する曲情報一覧Ｃを取得する（Ｓ１）。
【００１６】
なお、本発明の実施の形態１においては、曲情報一覧取得手段１０３が音楽メディア１１の曲特定情報Ｂを基に曲情報一覧Ｃを取得する構成を一例として示したが、曲特定情報Ｂを基にせず、直接楽曲情報データベース１０から曲情報一覧Ｃを取得するようにしても同様の効果を得ることができる。
【００１７】
曲情報一覧取得手段１０３が曲情報一覧Ｃを取得した後、曲識別手段１０４は曲情報一覧Ｃに記載されている全ての曲に対して曲の識別を行う。曲識別手段１０４において、曲情報一覧Ｃに記載されている全ての曲が「ユーザが一度も所持していない」、「バックアップ後に記録手段１から削除」、「記録手段１に存在しバックアップ済み」、「バックアップを行わずに記録手段１から削除」、および「記録手段１に存在しバックアップを行っていない」の５種類の状態に識別された後に識別済み曲情報一覧Ｇが作成される（Ｓ２）。
【００１８】
曲識別手段１０４において作成された識別済み曲情報一覧Ｇは、ユーザが確認あるいは認識できるように表示手段１０５に表示される（Ｓ３）。図５に図４に示した識別済み曲情報一覧を表示手段１０５に表示した場合の表示画面の一例を示す。このようにユーザが各々の曲の保存状態を表示画面により認識することができるので、ユーザが記録手段１に存在している曲またはバックアップ済みの曲を誤って再度取得しないようにすることができる。
【００１９】
なお、ユーザが各々の曲の保存状態を認識する方法としては、上記の画面表示以外に音声で認識する方法であっても同様の効果を得ることができる。
【００２０】
次に、ユーザが音楽メディア１１から曲データＩの取得を所定の手段で選択した場合（Ｓ４のＹＥＳ）、曲データ取得手段１０６は音楽メディア読出手段１０２から曲データＩを取得しそれを記録手段１に記録するとともに、曲データＩの曲データアドレスＫを曲情報管理データ制御手段１０８に送る（Ｓ５）。また、ユーザが曲データＩの取得を所定の手段で選択しなかった場合（Ｓ４のＮＯ）、記録再生装置１００は動作を終える。
【００２１】
なお、本発明の実施の形態１においては、曲データ取得手段１０６が音楽メディア１１から音楽メディア読出手段１０２を介して曲データを取得する構成を一例として示したが、ユーザがネットワークを通じて音楽配信サーバ１２に選択した曲の曲情報Ｈを送信することにより、音楽配信サーバ１２から曲データＩを取得するようにしても同様の効果を得ることができる。
【００２２】
曲データ取得手段１０６は曲データＩを取得した後、取得した曲の識別済み曲情報一覧Ｇから曲データＩが「ユーザが一度も所持していない」曲データであるか否かを判定する（Ｓ６）。ステップＳ６における判定結果がＹＥＳの場合、取得した曲データＩの曲情報である識別済み曲情報Ｊを曲情報管理データ制御手段１０８に送り、曲情報管理データ制御手段１０８において送られた識別済み曲情報Ｊと曲データＩの曲データアドレスＫを基に取得した曲データＩの曲情報管理データを作成しデータ管理ファイル１０１に保存する（Ｓ７−１）。このようにステップＳ１からステップＳ７−１の動作を繰り返すことで新たな曲情報管理データが作成される。ステップＳ６における判定結果がＮＯの場合、取得した曲データＩの曲情報管理データが既に存在するので、曲データ取得手段１０６は識別済み曲情報Ｊを曲情報管理データ制御手段１０８に送り、曲情報管理データ制御手段１０８はデータ管理ファイル１０１に保存されている取得した曲データＩに関する曲情報管理データを更新する（Ｓ７−２）。以上で、曲データＩを取得する時の記録再生装置の動作は終了する。
【００２３】
ここで、曲情報管理データは、図３にデータ管理ファイルの一例として示した行列の１行分のデータである。曲情報管理データは、曲名１０１−１、アーティスト名１０１−２、およびアルバム名１０１−３などの曲情報と、曲データの記録手段１内での保存位置を示す曲データアドレス１０１−４と、曲データのバックアップの有無を示すバックアップ１０１−５などで構成される。アルバム名１０１−３の欄が空白であれば、あるいはアルバム名の情報が入っていなければ該当曲は音楽メディア１１に収録されたアルバムの中の曲ではないことを示す。また、曲情報管理データ２および曲情報管理データ３の行における曲データアドレス１０１−４の欄に示されるように、曲データアドレス１０１−４の欄が空白であれば、あるいはアドレス情報が入っていなければ曲データＩは記録手段１に存在しないことを示す。
【００２４】
なお、本発明の実施の形態１においては、曲情報管理データは曲情報（１０１−１〜１０１−３）と、曲データアドレス１０１−４と、バックアップ１０１−５と、で構成されているが、該当曲の曲情報管理データの行におけるバックアップ１０１−５の欄にバックアップ有りを示す情報が記録されている場合は、バックアップ１０１−５の代わりに、バックアップした記録メディアを記述するバックアップメディア、または／およびバックアップメディアにおけるバックアップ先のアドレスを表すバックアップアドレスなどで構成してもよい。また、曲情報管理データは、曲情報（１０１−１〜１０１−３）と曲データアドレス１０１−４に、バックアップ１０１−５、バックアップメディアおよびバックアップアドレスの内の少なくとも一つをそれぞれ組み合わせた項目で構成してもよい。
【００２５】
次に、図７を用いて、記録再生装置１００が記録手段１に保存されている曲データＩを削除またはバックアップする場合の動作について説明する。なお、図７は、記録手段１に保存されている曲データを削除あるいはバックアップするときの動作を示すフローチャートである。
【００２６】
まず、曲識別手段１０４が曲情報管理データ制御手段１０８から曲情報管理データ一覧Ｄを取得する（Ｓ１０）。曲識別手段１０４は曲情報管理データ一覧Ｄから曲データが存在する曲情報管理データだけを識別し、識別済み曲情報一覧Ｇのみを図６におけるステップＳ２と同様に作成する（Ｓ１１）。曲識別手段１０４は、識別済み曲情報一覧Ｇを曲データ削除・バックアップ手段１０７に送るとともに表示手段１０５に送り、表示手段１０５において識別済み曲情報一覧Ｇを表示する（Ｓ１２）。ユーザが、所定の手段で曲データＩを削除することを選択した場合（Ｓ１３のＹＥＳ）、曲データ削除・バックアップ手段１０７は曲情報管理データ制御手段１０８に削除を行う曲データＩの曲情報Ｈを送り、曲情報管理データ制御手段１０８は曲データ削除・バックアップ手段１０７から送られた曲情報Ｈに該当する曲情報管理データの曲データアドレス（図３における１０１−４）を削除する（Ｓ１４）。曲データアドレス（図３における１０１−４）を削除した後、曲データ削除・バックアップ手段１０７は記録手段１に保存されている該当する曲データを削除し、処理を終了する（Ｓ１５）。ユーザが、曲データＩを削除するのではなく（Ｓ１３のＮＯ）、所定の手段で曲データＩをバックアップすることを選択した場合（Ｓ１６のＹＥＳ）、曲データ削除・バックアップ手段１０７は、外部の記録装置あるいは内蔵する記録手段１以外の記録手段２に選択された曲データＩのバックアップを行う（Ｓ１７）。バックアップが終了すると、曲データ削除・バックアップ手段１０７は曲情報管理データ制御手段１０８にバックアップを行った曲データＩの曲情報Ｈを送り、該当する曲情報管理データのバックアップ（図３における１０１−５）の欄にバックアップが行われたことを表す情報を記録する（Ｓ１８）。以上で、曲データＩの削除またはバックアップをする場合の記録再生装置の動作は終了する。
【００２７】
なお、上記の動作を示すフローチャートにおいては、曲データを削除するか否かの選択肢の後に曲データをバックアップするか否かの選択を行う構成について説明したが、曲データをバックアップするか否かの選択肢の後に曲データを削除するか否かの選択を行う構成にしても何ら問題はない。
【００２８】
次に、図８を用いて、曲識別手段１０４が識別済み曲情報一覧を作成する（図６のステップＳ２）場合の詳細な動作を説明する。なお、図８は、曲識別手段１０４において識別済み曲情報一覧を作成する（図６のステップＳ２）ときの詳細な動作を示すフローチャートである。
【００２９】
まず、曲識別手段１０４は曲情報一覧取得手段１０３から得た曲情報一覧Ｃを基に、曲情報一覧Ｃと同じ内容で、かつそれぞれの曲の識別結果の情報が記録できる識別済み曲情報一覧Ｇを作成する（Ｓ２−１）。識別済み曲情報一覧Ｇに存在する全ての曲（曲数をｔとする）に対して処理を行うため、まず変数ｎに１を代入する（Ｓ２−２）。曲情報一覧Ｃのｎ番目の曲情報を基にして曲情報管理データ制御手段１０８から送られた曲情報管理データ一覧Ｄの検索を行う（Ｓ２−３）。検索を行った結果、データ管理ファイル１０１内に該当する曲情報管理データが存在するか否かを判定する（Ｓ２−４）。該当する曲情報管理データが存在しない場合（Ｓ２−４のＮＯ）、ユーザが該当する曲データＩを一度も所持していないと識別する（Ｓ２−７−１）。該当する曲情報管理データが存在する場合（Ｓ２−４のＹＥＳ）、該当する曲の曲データＩが削除済みであるか否かを判定する（Ｓ２−５）。曲データＩが削除済みであるか否かは、図３で示される各々の曲情報管理データの行の曲データアドレス１０１−４の欄が空白であるか否か、あるいはアドレス情報が存在するか否かで判定することができる。ここで、図３に示す曲情報管理データ２と曲情報管理データ３のように、曲データアドレス１０１−４の欄が空白である場合は該当する曲データＩが削除済み（Ｓ２−５のＹＥＳ）であることを示しているので、次のステップに移行してバックアップ済みであるか否かを判定する（Ｓ２−６−１）。この判定は、例えば、図３に示した各々の曲情報管理データの行におけるバックアップ１０１−５の欄に記録された「有り」もしくは「無し」の情報により判定することができる。図３に示す曲情報管理データ３のように、該当する曲データＩがバックアップ済みでなく（Ｓ２−６−１のＮＯ）、曲データアドレスが存在しない場合は、ユーザが該当する曲データＩのバックアップを行わずに削除したと識別する（Ｓ２−７−２）。また、図３に示す曲情報管理データ２のように、該当する曲データＩがバックアップ済みであり（Ｓ２−６−１のＹＥＳ）、曲データアドレスが存在しない場合は、ユーザが該当する曲データＩをバックアップ後に記録手段１から削除したと識別する（Ｓ２−７−３）。また、ステップＳ２−５において、図３に示す曲情報管理データ１および曲情報管理データ４のように、該当する曲データＩが削除されていない場合（Ｓ２−５のＮＯ）、該当する曲データＩがバックアップ済みであるかどうかを判定する（Ｓ２−６−２）。また、図３に示す曲情報管理データ１のように、該当する曲データＩがバックアップ済みであり（Ｓ２−６−２のＹＥＳ）、曲データアドレスが存在する場合は、記録手段１に該当する曲データＩが存在しバックアップ済みであると識別する（Ｓ２−７−４）。さらに、図３に示す曲情報管理データ４のように、該当する曲データＩがバックアップ済みでなく（Ｓ２−６−２のＮＯ）、曲データアドレスが存在する場合は、記録手段１に該当する曲データＩが存在しバックアップを行っていないと識別する（Ｓ２−７−５）。
【００３０】
以上のようにステップＳ２−７において識別した結果を、図４に示す識別済み曲情報一覧の識別結果の欄に記録する（Ｓ２−８）。１曲目の識別動作を終えた時点で曲情報一覧Ｃの全ての曲の識別がまだ終了していない、すなわちｎがｔに達していなければ（Ｓ２−９のＮＯ）、１を加算したものを新たなｎ（Ｓ２−１０）としたｎ曲目（ここでは２曲目となる）の曲の識別動作を、上記と同様にステップＳ２−３からスタートして繰り返す。以上の動作を曲情報一覧Ｃの全ての曲が終了する（ｎ＝ｔとなる）までくり返し、曲情報一覧Ｃの全ての曲が終了すると（Ｓ２−９のＹＥＳ）、識別済み曲情報一覧Ｇの作成が終了する。
【産業上の利用可能性】
【００３１】
本発明の記録再生装置によれば、記録再生装置のメインの記録手段からは削除されているが、ユーザがバックアップを行い、メインの記録手段以外の記録手段や他のメディア等において保持している曲の曲データをダウンロードやエンコーディングを行う際、記録再生装置が該当する曲のバックアップ状況を識別して画面表示等でユーザに注意を喚起することができるので、インターネットを利用する音楽配信に対応しＨＤＤやフラッシュメモリなどの記録手段を搭載したミニコンポ等において有用である。
【図面の簡単な説明】
【００３２】
【図１】本発明の実施の形態１における記録再生装置の構成を示すブロック図
【図２】曲情報一覧の一例を示す図
【図３】データ管理ファイルの一例を示す図
【図４】識別済み曲情報一覧の一例を示す図
【図５】図４に示した識別済み曲情報一覧を表示した場合の表示画面の一例を示す図
【図６】本発明の記録再生装置が音楽メディアから曲データを取得するときの動作を示すフローチャート
【図７】本発明の記録再生装置が記録手段１に保存されている曲データを削除あるいはバックアップするときの動作を示すフローチャート
【図８】本発明の記録再生装置が識別済み曲情報一覧を作成するときの詳細な動作を示すフローチャート
【符号の説明】
【００３３】
１０  楽曲情報データベース
１１  音楽メディア
１２  音楽配信サーバ
１００  記録再生装置
１０１  データ管理ファイル
１０２  音楽メディア読出手段
１０３  曲情報一覧取得手段
１０４  曲識別手段
１０５  表示手段
１０６  曲データ取得手段
１０７  曲データ削除・バックアップ手段
１０８  曲情報管理データ制御手段
Ａ  音楽データ
Ｂ  曲特定情報
Ｃ  曲情報一覧
Ｄ  曲情報管理データ一覧
Ｅ  書込データ
Ｆ  読出データ
Ｇ  識別済み曲情報一覧
Ｈ  曲情報
Ｉ  曲データ
Ｊ  識別済み曲情報
Ｋ  曲データアドレス
【図１】
2007157229.tif 000003
【図２】
2007157229.tif 000004
【図３】
2007157229.tif 000005
【図４】
2007157229.tif 000006
【図５】
2007157229.tif 000007
【図６】
2007157229.tif 000008
【図７】
2007157229.tif 000009
【図８】
2007157229.tif 000010